(57)【特許請求の範囲】
【請求項１】
端末と無線通信を行う基地局装置であって、
トラヒック量が閾値よりも大きいか否かを判定するトラヒック判定部と、
前記トラヒック量が前記閾値以下である場合、Ｍｏｂｉｌｉｔｙパラメータに設けられた前記端末の複数の移動速度にそれぞれ対応する複数のパラメータ領域に、前記端末の移動速度が高いほど小さなパラメータを設定する第１設定を行い、前記トラヒック量が前記閾値よりも大きい場合、前記複数のパラメータ領域のそれぞれに、前記端末の移動速度に関わらず、前記第１設定で設定するパラメータの中で最も小さいパラメータを設定する第２設定を行うパラメータ生成部と、
前記パラメータ生成部が設定した前記Ｍｏｂｉｌｉｔｙパラメータを含む端末個別メッセージを前記端末に送信する設定情報送信部と、
を備える基地局装置。
【請求項２】
前記Ｍｏｂｉｌｉｔｙパラメータは、所定の速度よりも高速で移動する高速端末に対する高速用パラメータを設定する高速用パラメータ領域、前記高速端末よりも低速で移動する中速端末に対する中速用パラメータを設定する中速用パラメータ領域、および、前記中速端末よりも低速で移動する低速端末に対する低速用パラメータを設定する低速用パラメータ領域が少なくとも設けられるＭｏｂｉｌｉｔｙパラメータであって、
前記パラメータ生成部は、前記トラヒック量が前記閾値よりも大きい場合に、前記中速用パラメータ領域、および、前記低速用パラメータ領域に前記高速用パラメータを設定する、
請求項１に記載の基地局装置。
【請求項３】
端末と無線通信を行う基地局装置であって、
トラヒック量が閾値よりも大きいか否かを判定するトラヒック判定部と、
前記トラヒック量が前記閾値より大きい場合、前記端末の複数の移動速度にそれぞれ対応する複数のパラメータ領域に、前記端末の移動速度が高いほど小さなパラメータが設定されたＭｏｂｉｌｉｔｙパラメータの中で、最も高い移動速度に対応するパラメータ領域に設定されたパラメータを使用することを前記端末に指示する指示情報を生成するパラメータ生成部と、
前記指示情報を少なくとも１つの端末に送信する設定情報送信部と、
を備える基地局装置。
【請求項４】
前記Ｍｏｂｉｌｉｔｙパラメータは、所定の速度よりも高速で移動する高速端末に対する高速用パラメータを設定する高速用パラメータ領域、前記高速端末よりも低速で移動する中速端末に対する中速用パラメータを設定する中速用パラメータ領域、および、前記中速端末よりも低速で移動する低速端末に対する低速用パラメータを設定する低速用パラメータ領域が少なくとも設けられるＭｏｂｉｌｉｔｙパラメータであって、
前記パラメータ生成部は、前記トラヒック量が前記閾値よりも大きい場合に、前記Ｍｏｂｉｌｉｔｙパラメータに設定された高速用パラメータを使用することを前記端末に指示する指示情報を生成する、
請求項３に記載の基地局装置。
【請求項５】
前記指示情報は、前記基地局装置と無線通信を行う全ての端末に送信される報知情報に含まれる、
請求項３または４に記載の基地局装置。
【請求項６】
前記指示情報は、前記基地局装置のセルエッジに位置する端末に送信される端末個別メッセージに含まれる、
請求項３または４に記載の基地局装置。
【請求項７】
前記複数のパラメータ領域に設定されるパラメータは、前記端末が測定した受信品質が所定の条件を満たしてから、前記基地局装置に前記受信品質を示す受信品質結果を通知するまでの時間を示す、
請求項１から６のいずれか一項に記載の基地局装置。
【請求項８】
前記端末からの受信品質結果を受信する受信部と、
前記受信品質結果に基づき、前記端末のハンドオーバを制御するハンドオーバ制御部と、
を更に備える、
請求項１から７のいずれか一項に記載の基地局装置。
【請求項９】
前記ハンドオーバ制御部は、前記基地局装置のセルカバレッジを縮小させる、
請求項８に記載の基地局装置。
【請求項１０】
端末と無線通信を行う基地局装置における通信方法であって、
トラヒック量が閾値よりも大きいか否かを判定し、
前記トラヒック量が前記閾値以下である場合、Ｍｏｂｉｌｉｔｙパラメータに設けられた前記端末の複数の移動速度にそれぞれ対応する複数のパラメータ領域に、前記端末の移動速度が高いほど小さなパラメータを設定する第１設定を行い、前記トラヒック量が前記閾値よりも大きい場合、前記複数のパラメータ領域のそれぞれに、前記端末の移動速度に関わらず、前記第１設定で設定するパラメータの中で最も小さいパラメータを設定する第２設定を行い、
設定した前記Ｍｏｂｉｌｉｔｙパラメータを含む端末個別メッセージを前記端末に送信する、
通信方法。
【請求項１１】
端末と無線通信を行う基地局装置における通信方法であって、
トラヒック量が閾値よりも大きいか否かを判定し、
前記トラヒック量が前記閾値より大きい場合、前記端末の複数の移動速度にそれぞれ対応する複数のパラメータ領域に、前記端末の移動速度が高いほど小さなパラメータが設定されたＭｏｂｉｌｉｔｙパラメータの中で、最も高い移動速度に対応するパラメータ領域に設定されたパラメータを使用することを前記端末に指示する指示情報を生成し、
前記指示情報を少なくとも１つの端末に送信する、
通信方法。
【発明の詳細な説明】
【技術分野】
【０００１】
本発明は、基地局装置および通信方法に関する。
【背景技術】
【０００２】
基地局装置と端末が無線通信を行うシステムでは、端末がより品質の高い通信を行うために、周辺の基地局装置との間で端末の接続先を切り替えるハンドオーバ制御が行われる。
【０００３】
基地局装置の通信可能範囲であるセルの端（セルエッジ）で基地局装置と接続する端末は、ハンドオーバが頻発する可能性がある。特に、端末が低速で移動する場合、ハンドオーバが頻発する現象、所謂、Ｐｉｎｇ−Ｐｏｎｇ（ピンポン）と呼ばれる現象が発生してしまう。
【０００４】
移動速度が比較的早い高速端末は、伝搬路の変化が大きく、その大きな伝搬路の変化に起因して受信品質の変化が生じやすいため、Ｐｉｎｇ−Ｐｏｎｇが発生する可能性が低い。一方で、移動速度が比較的低い低速端末は、伝搬路の変化が小さく、その小さな伝搬路の変化に起因して受信品質の変化が生じづらいため、Ｐｉｎｇ−Ｐｏｎｇが発生する可能性が高い。
【０００５】
例えば、非特許文献１では、基地局装置が、端末によって測定された周辺基地局装置の受信品質を示す受信品質情報に基づいて、周辺基地局装置への端末のハンドオーバを判定する無線システムが開示されている。非特許文献１が開示する技術では、セルエッジで基地局装置と接続する端末がハンドオーバを頻発しないように、端末が基地局装置への受信品質情報の送信を一定期間（Time to triggerと呼ぶ、以下では、ＴＴＴと記載）待機する機能が３ＧＰＰの標準化団体によって既定されている。
【０００６】
ＴＴＴを決定するパラメータは、Mobilityパラメータと呼ばれる。３ＧＰＰの標準化団体が既定するMobilityパラメータには、端末の移動速度に応じて、高速用パラメータ、高速用パラメータよりも長い中速用パラメータ、および中速用パラメータよりも長い低速用パラメータの３通りのパラメータが設定される。端末は、Mobilityパラメータから、自身の移動速度に対応するパラメータをハンドオーバ判定のためのパラメータとして設定する。端末は、設定したパラメータが示す時間分、基地局装置への受信品質情報の通知を待機し、パラメータが示す時間が経過した後、受信品質情報を基地局装置へ通知する。
【０００７】
この機能により、端末は、移動速度に応じて、受信品質情報の送信を待機することができる。例えば、低速用パラメータが比較的長く設定されているため、低速端末がセルエッジに位置する場合においても、ハンドオーバを繰り返すことを抑制できる。また、高速用パラメータが比較的短く設定されているので、高速端末がセル外へ高速に移動する場合においても、周辺の基地局装置へのハンドオーバの開始が遅れ、接続が切れることを避けることができる。
【先行技術文献】
【非特許文献】
【０００８】
【非特許文献１】3GPP  技術レポート  TR36.331  v12.4.1
【発明の概要】
【発明が解決しようとする課題】
【０００９】
基地局装置に接続する端末の増加等により、基地局装置のトラヒック量が増加する場合、基地局装置が高トラヒックの状態になってしまう。このような場合に、基地局装置は、負荷を分散するために、セルエッジで接続する端末を即座にハンドオーバさせる必要がある。
【００１０】
しかしながら、上述した非特許文献１の従来技術では、低速端末用のＴＴＴ（低速用パラメータ）が高速端末用のＴＴＴ（高速用パラメータ）に比べて長いため、低速端末のハンドオーバが遅れてしまう。
【００１１】
本発明は、上記課題を解決するためになされたものであり、基地局装置の負荷分散を即座に行うことができる基地局装置および通信方法を提供することを目的とする。
【課題を解決するための手段】
【００１２】
本発明の基地局装置は、端末と無線通信を行う基地局装置であって、トラヒック量が閾値よりも大きいか否かを判定するトラヒック判定部と、前記トラヒック量が前記閾値以下である場合、Ｍｏｂｉｌｉｔｙパラメータに設けられた前記端末の複数の移動速度にそれぞれ対応する複数のパラメータ領域に、前記端末の移動速度が高いほど小さなパラメータを設定する第１設定を行い、前記トラヒック量が前記閾値よりも大きい場合、前記複数のパラメータ領域のそれぞれに、前記端末の移動速度に関わらず、前記第１設定で設定するパラメータの中で最も小さいパラメータを設定する第２設定を行うパラメータ生成部と、前記パラメータ生成部が設定した前記Ｍｏｂｉｌｉｔｙパラメータを含む端末個別メッセージを前記端末に送信する設定情報送信部と、を備える。
【００１３】
本発明の基地局装置は、端末と無線通信を行う基地局装置であって、トラヒック量が閾値よりも大きいか否かを判定するトラヒック判定部と、前記トラヒック量が前記閾値より大きい場合、前記端末の複数の移動速度にそれぞれ対応する複数のパラメータ領域に、前記端末の移動速度が高いほど小さなパラメータが設定されたＭｏｂｉｌｉｔｙパラメータの中で、最も高い移動速度に対応するパラメータ領域に設定されたパラメータを使用することを前記端末に指示する指示情報を生成するパラメータ生成部と、前記指示情報を少なくとも１つの端末に送信する設定情報送信部と、を備える。
【００１４】
本発明の通信方法は、端末と無線通信を行う基地局装置における通信方法であって、トラヒック量が閾値よりも大きいか否かを判定し、前記トラヒック量が前記閾値以下である場合、Ｍｏｂｉｌｉｔｙパラメータに設けられた前記端末の複数の移動速度にそれぞれ対応する複数のパラメータ領域に、前記端末の移動速度が高いほど小さなパラメータを設定する第１設定を行い、前記トラヒック量が前記閾値よりも大きい場合、前記複数のパラメータ領域のそれぞれに、前記端末の移動速度に関わらず、前記第１設定で設定するパラメータの中で最も小さいパラメータを設定する第２設定を行い、設定した前記Ｍｏｂｉｌｉｔｙパラメータを含む端末個別メッセージを前記端末に送信する。
【００１５】
本発明の通信方法は、端末と無線通信を行う基地局装置における通信方法であって、トラヒック量が閾値よりも大きいか否かを判定し、前記トラヒック量が前記閾値より大きい場合、前記端末の複数の移動速度にそれぞれ対応する複数のパラメータ領域に、前記端末の移動速度が高いほど小さなパラメータが設定されたＭｏｂｉｌｉｔｙパラメータの中で、最も高い移動速度に対応するパラメータ領域に設定されたパラメータを使用することを前記端末に指示する指示情報を生成し、前記指示情報を少なくとも１つの端末に送信する。
【発明の効果】
【００１６】
本発明によれば、基地局装置の負荷分散を即座に行うことができる。
【図面の簡単な説明】
【００１７】
【図１】端末と基地局装置の通信状態の一例を示す図
【図２】基地局装置がセルカバレッジの変更を行う場合の通信状態の一例を示す図
【図３】本発明の実施の形態１に係る基地局装置の構成の一例を示す図
【図４】本発明の実施の形態１に係る端末の構成の一例を示す図
【図５Ａ】従来のMobilityパラメータの一例を示す図
【図５Ｂ】本発明の実施の形態１におけるMobilityパラメータの一例を示す図
【図６】本発明の実施の形態１におけるハンドオーバ処理の手順を示すシーケンス図
【図７】本発明の実施の形態２におけるハンドオーバ処理の手順を示すシーケンス図
【図８】本発明の実施の形態３に係る基地局装置の構成の一例を示す図
【図９】本発明の実施の形態３におけるハンドオーバ処理の手順を示すシーケンス図
【発明を実施するための形態】
【００１８】
（本発明に至る経緯）
まず、本発明に至る経緯について説明する。
【００１９】
図１は、端末２０と基地局装置１０、１１の通信状態の一例を示す図である。図１には、２つの基地局装置１０および１１と、基地局装置１０および１１のセルエッジに位置する端末２０が示されている。
【００２０】
端末２０は、基地局装置１０との受信品質および基地局装置１１との受信品質を測定する。例えば、端末２０は、測定した受信品質の高い基地局装置へ接続を行う。
【００２１】
例えば、端末２０が基地局装置１１と接続している状態とする。この状態において、端末２０の移動などにより通信環境が変化し、基地局装置１０との受信品質が基地局装置１１との受信品質よりも高くなった場合、端末２０は、接続先を基地局装置１１から基地局装置１０へ切り替えるハンドオーバを行う。
【００２２】
しかしながら、図１に示すように、端末２０が基地局装置１０のセル１０ａのセルエッジ、および基地局装置１１のセル１１ａのセルエッジに位置する場合、基地局装置１０との受信品質および基地局装置１１との受信品質が略同一になる。このような場合、端末２０が基地局装置１０と基地局装置１１との間でハンドオーバが頻発する現象、所謂、Ｐｉｎｇ−Ｐｏｎｇ（ピンポン）と呼ばれる現象が発生してしまう。
【００２３】
移動速度が高い高速端末は、比較的伝搬路の変化が大きく、その大きな伝搬路の変化に起因して受信品質の変化が生じやすいため、Ｐｉｎｇ−Ｐｏｎｇが発生する可能性が低い。一方で、移動速度が低い低速端末は、比較的伝搬路の変化が小さく、その小さな伝搬路の変化に起因して受信品質の変化が生じづらいため、Ｐｉｎｇ−Ｐｏｎｇが発生する可能性が高い。
【００２４】
Ｐｉｎｇ−Ｐｏｎｇを防止するために、３ＧＰＰの標準化団体では、Mobilityパラメータ（あるいは、Time to trigger（ＴＴＴ））が既定されている。
【００２５】
Mobilityパラメータ（あるいは、ＴＴＴ）は、端末が測定した基地局装置の受信品質がハンドオーバを行う条件を満たしてから、測定した基地局の受信品質を示す受信品質情報を基地局装置へ通知（Measurement Report）するまでの時間である。Mobilityパラメータは、端末毎に送信する端末個別メッセージ（RRC connection reconfiguration Message）で通知される。
【００２６】
基地局装置のトラヒック量が増加し、高トラヒック状態となった場合、基地局装置は、周辺基地局装置へトラヒックをオフロードする必要がある。特に、高トラヒック状態となった基地局装置にとって、端末の高速移動により即座に周辺基地局装置へハンドオーバする高速端末に比べて、長時間接続している低速端末を早く周辺基地局装置へハンドオーバさせることでオフロードする必要がある。
【００２７】
しかしながら、低速端末用のＴＴＴ（低速用パラメータ）が長く設定されているため、基地局装置へのMeasurement Reportが遅れ、ハンドオーバのトリガが遅れる。この遅れは、例えば、トラヒックをオフロードするために、セルカバレッジを変更する方式を採る場合に、低速端末の接続切れを引き起こす。以下、セルカバレッジを変更する方式における低速端末の接続切れについて図面を用いて説明する。
【００２８】
図２は、基地局装置１０、１１がセルカバレッジの変更を行う場合の通信状態の一例を示す図である。図２は、基地局装置１１が高トラヒック状態になったため、基地局装置１１のセルカバレッジがセル１１ａからセル１１ｂへ縮小されることを示している。そして、基地局装置１０のセルカバレッジが、基地局装置１１のセルカバレッジ変更に連動して、セル１０ａからセル１０ｂへ拡大されることを示している。なお、端末２０は、セルカバレッジ変更前に基地局装置１１と接続しているものとする。
【００２９】
図２に示すようなセルカバレッジ変更が行われる場合、基地局装置１１のセルが縮小し、端末２０がセルカバレッジ外になってしまうため、端末２０は、接続中の基地局装置１１から周辺基地局装置である基地局装置１０へハンドオーバを行う必要がある。
【００３０】
しかしながら、端末２０が低速端末である場合、低速端末用のＴＴＴ（低速用パラメータ）が長いため、ハンドオーバを行うためのMeasurement Reportの通知が遅れてしまう。その結果、基地局装置１０へのハンドオーバができず、接続が切れてしまう可能性がある。
【００３１】
このような事情に鑑み、本発明は、基地局装置のトラヒックオフロードのために、高トラヒック状態の基地局装置がセルカバレッジを縮小する場合に、セルエッジに位置する低速端末を即座にハンドオーバさせることによって、低速端末の接続を維持することができる基地局装置および通信方法を提供する。
【００３２】
次に、本発明の実施の形態について、図面を参照して詳細に説明する。なお、以下に説明する各実施の形態は一例であり、本発明はこれらの実施の形態により限定されるものではない。
【００３３】
（実施の形態１）
本発明の実施の形態１に係る基地局装置３０の構成について、図３を用いて説明する。
【００３４】
図３は、本発明の実施の形態１に係る基地局装置３０の構成の一例を示す図である。基地局装置３０は、基地局間通信ＩＦ（インターフェース）３１、端末通信ＩＦ（インターフェース）３２、および制御部３３を有する。
【００３５】
基地局間通信ＩＦ３１は、基地局装置３０と周辺に位置する周辺基地局装置を含む他の基地局装置との間の通信を行うインターフェースである。
【００３６】
端末通信ＩＦ３２は、基地局装置３０と基地局装置３０のセル内に位置する端末との通信を行うインターフェースである。
【００３７】
制御部３３は、トラヒック判定部３３１、Mobilityパラメータ生成部３３２、設定情報送信部３３３、Measurement Report受信部３３４、およびハンドオーバ制御部３３５を有する。
【００３８】
トラヒック判定部３３１は、基地局装置３０が高トラヒック状態であるか否かを判定する。例えば、トラヒック判定部３３１は、基地局装置３０が収容するトラヒック量と所定の閾値とを比較し、トラヒック量が所定の閾値よりも大きい場合に基地局装置３０が高トラヒック状態であると判定する。トラヒック判定部３３１は、判定結果をMobilityパラメータ生成部３３２へ出力する。
【００３９】
Mobilityパラメータ生成部３３２は、判定結果に基づき、Mobilityパラメータを生成する。また、Mobilityパラメータ生成部３３２は、後述するハンドオーバ制御部３３５からハンドオーバ完了の通知を受け取った場合、Mobilityパラメータを生成する。
【００４０】
Mobilityパラメータは、端末の移動速度（例えば、高速端末、中速端末、または、低速端末）に応じたパラメータが設定される領域を有する。例えば、Mobilityパラメータは、高速用パラメータを設定する高速用パラメータ領域、中速用パラメータを設定する中速用パラメータ領域、低速用パラメータを設定する低速用パラメータ領域を有する。Mobilityパラメータ生成部３３２は、各パラメータ領域にパラメータを設定することによって、Mobilityパラメータを生成する。Mobilityパラメータ生成部３３２が生成する具体的なMobilityパラメータの例については後述にて詳細に説明する。
【００４１】
Mobilityパラメータ生成部３３２は、生成したMobilityパラメータを含む端末個別メッセージを設定情報送信部３３３へ出力する。
【００４２】
設定情報送信部３３３は、ハンドオーバ制御部３３５から周辺基地局装置と端末間の受信品質の情報を受け取り、受け取った情報に基づいてセルエッジに位置する端末を判定する。設定情報送信部３３３は、端末通信ＩＦ３２を介して、Mobilityパラメータ生成部３３２から受け取った端末個別メッセージを基地局装置３０のセルエッジに位置する端末へ送信する。
【００４３】
Measurement Report受信部３３４は、端末通信ＩＦ３２を介して、端末からMeasurement Reportを受信し、受信したMeasurement Reportをハンドオーバ制御部３３５へ出力する。
【００４４】
ハンドオーバ制御部３３５は、Measurement Reportに基づき、Measurement Reportを送信した端末のハンドオーバを制御する。具体的には、ハンドオーバ制御部３３５は、Measurement Reportに含まれる周辺基地局装置の受信品質に基づき、ハンドオーバ先基地局装置を判定する。そして、ハンドオーバ制御部３３５は、ハンドオーバ先基地局装置のハンドオーバ制御部３３５と通信を行い、ハンドオーバさせる端末に関する情報等を送受信し、端末のハンドオーバを完了させる。
【００４５】
また、ハンドオーバ制御部３３５は、ハンドオーバ制御が完了した場合、完了したことを示す通知をMobilityパラメータ生成部３３２へ出力する。また、ハンドオーバ制御部３３５は、基地局間通信ＩＦ３１を介して、周辺基地局装置と端末間の受信品質の情報を受け取り、受け取った情報を設定情報送信部３３３へ出力する。
【００４６】
ハンドオーバ制御部３３５は、ハンドオーバの制御とともに、セルカバレッジの変更を行ってもよい。その場合、ハンドオーバ制御部３３５は、周辺基地局装置と互いに情報の送受信を行い、基地局装置３０のセルカバレッジの縮小または拡大を行う。
【００４７】
図４は、本発明の実施の形態１に係る端末４０の構成の一例を示す図である。端末４０は、基地局通信ＩＦ４１、制御部４２を有する。
【００４８】
基地局通信ＩＦ４１は、端末４０と基地局装置３０との間の通信を行うインターフェースである。
【００４９】
図４に示す制御部４２は、設定情報受信部４２１、測定パラメータ設定部４２２、受信品質測定およびReport条件判定部４２３、Measurement Report生成部４２４、Measurement Report送信部４２５を有する。
【００５０】
設定情報受信部４２１は、基地局装置３０から送信される設定情報を基地局通信ＩＦ４１を介して受信する。例えば、設定情報受信部４２１は、Mobilityパラメータを含む端末個別メッセージを設定情報として受信する。設定情報受信部４２１は、受信したMobilityパラメータを含む端末個別メッセージを測定パラメータ設定部４２２へ出力する。
【００５１】
測定パラメータ設定部４２２は、図示しない移動速度判定部から端末４０の移動速度を受け取る。測定パラメータ設定部４２２が受け取る端末４０の移動速度は、例えば、端末４０の移動速度が低速である低速端末、低速端末よりも高速である中速端末、または中速端末よりも高速である高速端末の３通りに分類される。
【００５２】
そして、測定パラメータ設定部４２２は、受け取った端末個別メッセージに含まれるMobilityパラメータおよび移動速度に基づいて、測定パラメータを設定する。測定パラメータとは、端末４０がMeasurement Report条件を満たすか否かを判定する際に用いる時間のパラメータである。
【００５３】
例えば、測定パラメータ設定部４２２は、端末４０が低速端末であると判定した場合、Mobilityパラメータの低速用パラメータ領域に設定された値を測定パラメータに設定する。測定パラメータ設定部４２２は、端末４０が中速端末であると判定した場合、Mobilityパラメータの中速用パラメータ領域に設定された値を測定パラメータに設定する。測定パラメータ設定部４２２は、端末４０が高速端末であると判定した場合、Mobilityパラメータの高速用パラメータ領域に設定された値を測定パラメータに設定する。
【００５４】
測定パラメータ設定部４２２は、設定した測定パラメータを受信品質測定およびReport条件判定部４２３へ出力する。
【００５５】
受信品質測定およびReport条件判定部４２３は、基地局通信ＩＦ４１を介して、端末４０と接続中の基地局装置の受信品質、および、端末４０と接続していない周辺基地局装置の受信品質を測定する。
【００５６】
受信品質測定およびReport条件判定部４２３は、測定したそれぞれの受信品質に基づき、Measurement Report条件を満たすか否かを判定する。例えば、端末４０と接続していない基地局装置の受信品質と端末４０と接続中の基地局装置の受信品質との差が所定の値よりも大きい状態が測定パラメータの時間だけ持続する場合、受信品質測定およびReport条件判定部４２３は、Measurement Report条件を満たすと判定する。
【００５７】
受信品質測定およびReport条件判定部４２３は、Measurement Report条件を満たすと判定する場合、その判定結果をMeasurement Report生成部４２４へ出力する。また、受信品質測定およびReport条件判定部４２３は、測定した受信品質の結果をMeasurement Report生成部４２４へ出力する。
【００５８】
Measurement Report生成部４２４は、Measurement Report条件を満たすという判定結果を受け取った場合、Measurement Report（受信品質測定結果）を生成する。Measurement Report生成部４２４は、生成したMeasurement ReportをMeasurement Report送信部４２５へ出力する。
【００５９】
Measurement Report送信部４２５は、受け取ったMeasurement Reportを基地局通信ＩＦ４１を介して、基地局装置３０へ送信する。
【００６０】
次に、Mobilityパラメータ生成部３３２が生成するMobilityパラメータについて説明する。
【００６１】
図５Ａは、従来のMobilityパラメータ５１の一例を示す図である。図５Ｂは、本発明の実施の形態１におけるMobilityパラメータ５５の一例を示す図である。
【００６２】
図５Ａに示すように、従来のMobilityパラメータ５１は、高速用パラメータを設定する高速用パラメータ領域５２、中速用パラメータを設定する中速用パラメータ領域５３、低速用パラメータを設定する低速用パラメータ領域５４を有する。また、図５Ｂに示すように、本実施の形態におけるMobilityパラメータ５５は、図５Ａに示す従来のMobilityパラメータ５１と同様に、高速用パラメータを設定する高速用パラメータ領域５６、中速用パラメータを設定する中速用パラメータ領域５７、低速用パラメータを設定する低速用パラメータ領域５８を有する。
【００６３】
つまり、本実施の形態におけるMobilityパラメータ５５のフォーマットは、従来のMobilityパラメータ５１とフォーマットと同様である。
【００６４】
基地局装置３０のMobilityパラメータ生成部３３２は、トラヒック判定部３３１からトラヒック量が所定の閾値以下である（つまり、高トラヒック状態ではない）ことを示す判定結果を受け取った場合、図５Ａに示す従来のMobilityパラメータ５１を生成する。具体的には、Mobilityパラメータ生成部３３２は、高速用パラメータ領域５２に高速用パラメータの値を設定し、中速用パラメータ領域５３に中速用パラメータの値を設定し、低速用パラメータ領域５４に低速用パラメータの値を設定する（第１設定）。Mobilityパラメータ生成部３３２は、生成したMobilityパラメータ５１を設定情報送信部３３３へ出力する。
【００６５】
一方で、基地局装置３０のMobilityパラメータ生成部３３２は、トラヒック判定部３３１からトラヒック量が所定の閾値よりも大きい（つまり、高トラヒック状態である）ことを示す判定結果を受け取った場合、図５Ｂに示す本実施の形態におけるMobilityパラメータ５５を生成する。具体的には、Mobilityパラメータ生成部３３２は、高速用パラメータ領域５６に高速用パラメータの値を設定し、中速用パラメータ領域５７に高速用パラメータの値を設定し、低速用パラメータ領域５８に高速用パラメータの値を設定する（第２設定）。つまり、Mobilityパラメータ生成部３３２は、端末の移動速度に応じて設けられる各パラメータ領域の全てに、高速用パラメータの値を設定する。Mobilityパラメータ生成部３３２は、生成したMobilityパラメータ５５を設定情報送信部３３３へ出力する。
【００６６】
設定情報送信部３３３は、受け取ったMobilityパラメータ５１を含む端末個別メッセージまたはMobilityパラメータ５５を含む端末個別メッセージを端末通信ＩＦ３２を介して端末４０へ送信する。その際、基地局装置３０は、端末個別メッセージがMobilityパラメータ５１とMobilityパラメータ５５とのどちらを含むか、を示す情報を送信する必要は無い。
【００６７】
次に、図５Ａおよび図５Ｂを参照して、端末４０の測定パラメータ設定部４２２における測定パラメータの設定方法について説明する。
【００６８】
例えば、測定パラメータ設定部４２２が図５Ａに示す従来のMobilityパラメータ５１を受け取った場合、測定パラメータ設定部４２２は、端末４０が高速端末であれば、高速用パラメータ領域５２に設定された高速用パラメータの値を測定パラメータとして設定する。同様に、測定パラメータ設定部４２２は、端末４０が中速端末であれば、中速用パラメータ領域５３に設定された中速用パラメータの値を測定パラメータとして設定する。測定パラメータ設定部４２２は、端末４０が低速端末であれば、低速用パラメータ領域５４に設定された低速用パラメータの値を測定パラメータとして設定する。
【００６９】
つまり、測定パラメータ設定部４２２が図５Ａに示す従来のMobilityパラメータ５１を受け取った場合、端末の移動速度に応じたパラメータの値が測定パラメータとして設定される。
【００７０】
一方で、測定パラメータ設定部４２２が図５Ｂに示す本実施の形態におけるMobilityパラメータ５５を受け取った場合、測定パラメータ設定部４２２は、端末４０が高速端末であれば、高速用パラメータ領域５６に設定された高速用パラメータの値を測定パラメータとして設定する。そして、測定パラメータ設定部４２２は、端末４０が中速端末であっても、中速用パラメータ領域５７に設定された高速用パラメータの値を測定パラメータとして設定する。また、測定パラメータ設定部４２２は、端末４０が低速端末であっても、低速用パラメータ領域５８に設定された高速用パラメータの値を測定パラメータとして設定する。
【００７１】
つまり、測定パラメータ設定部４２２が図５Ｂに示す本実施の形態におけるMobilityパラメータ５５を受け取った場合、端末４０の移動速度に関わらず、高速用パラメータの値が測定パラメータとして設定される。また、その際に、測定パラメータ設定部４２２は、従来のMobilityパラメータ５１に基づいて測定用パラメータを設定する処理と同様の処理によって、高速用パラメータの値を測定パラメータとして設定できる。
【００７２】
次に、本実施の形態において、高トラヒック状態である基地局装置がセルエッジに位置する端末を周辺基地局装置にハンドオーバさせる場合のハンドオーバ処理の手順について説明する。
【００７３】
図６は、本発明の実施の形態１におけるハンドオーバ処理の手順の一例を示すシーケンス図である。なお、図６には、端末と、端末が接続している基地局装置（図６では、ＨＯ（ハンドオーバ）元基地局装置）と、端末がハンドオーバにより新たに接続する基地局装置（図６では、ＨＯ（ハンドオーバ）先基地局装置）の処理手順が示されている。また、図６に示すＨＯ元基地局装置およびＨＯ先基地局装置は、それぞれ、図３に示した基地局装置３０の構成を有し、端末は、図４に示した端末４０の構成を有する。
【００７４】
図６の例では、ＨＯ元基地局装置のトラヒック判定部３３１は、高トラヒック状態であると判定する（Ｓ１０１）。トラヒック判定部３３１は、ＨＯ元基地局装置が高トラヒック状態であることを示す判定結果をMobilityパラメータ生成部３３２へ出力する。
【００７５】
次に、Mobilityパラメータ生成部３３２は、ＨＯ元基地局装置が高トラヒック状態であることを示す判定結果を受け取るので、図５Ｂに示したように、端末の移動速度に応じて設けられるMobilityパラメータの各パラメータ領域の全てに、高速用パラメータの値を設定したMobilityパラメータを含む端末個別メッセージを生成する（Ｓ１０２）。Mobilityパラメータ生成部３３２は、生成したMobilityパラメータを含む端末個別メッセージを設定情報送信部３３３へ出力する。
【００７６】
設定情報送信部３３３は、受け取った端末個別メッセージを端末通信ＩＦ３２を介して端末へ送信する（Ｓ１０３）。
【００７７】
そして、ＨＯ元基地局装置およびＨＯ先基地局装置は、互いに情報の送受信を行い、セルカバレッジの変更を行う（Ｓ１０４）。例えば、図２に示したように、ＨＯ元基地局装置は、セルサイズを縮小し、ＨＯ先基地局装置は、セルサイズを拡大する。
【００７８】
端末の測定パラメータ設定部４２２は、基地局通信ＩＦ４１および設定情報受信部４２１を介して受け取ったMobilityパラメータのうち、端末４０の移動速度に対応するパラメータ領域に設定されたパラメータを測定パラメータとして設定する（Ｓ１０５）。その際、Ｓ１０２およびＳ１０３にて示したように、ＨＯ元基地局装置から送信されたMobilityパラメータは、各パラメータ領域の全てに高速用パラメータの値が設定されている。そのため、測定パラメータ設定部４２２は、例えば、端末４０が低速端末であっても、あるいは中速端末であっても、高速用パラメータを測定パラメータとして設定する。
【００７９】
次に、図６の例では、端末の受信品質測定およびReport条件判定部４２３は、Measurement Report条件を満たすと判定する（Ｓ１０６）。
【００８０】
Measurement Report生成部４２４は、Measurement Reportを生成する。そして、Measurement Report送信部４２５は、Measurement Report生成部４２４からMeasurement Reportを受け取り、基地局通信ＩＦ４１を介してＨＯ元基地局装置へ送信する（Ｓ１０７）。
【００８１】
図６の例では、測定パラメータとして高速用パラメータを用いるため、受信品質測定およびReport条件判定部４２３は、判定を開始してからＨＯ元基地局装置へMeasurement Reportを送信するまでの時間は、比較的短い時間となる。
【００８２】
ＨＯ元基地局装置のハンドオーバ制御部３３５は、端末通信ＩＦ３２およびMeasurement Report受信部３３４を介してMeasurement Reportを受け取り、ハンドオーバシーケンス制御を行う（Ｓ１０８）。その際、ハンドオーバ制御部３３５は、Measurement Reportに含まれる周辺基地局装置の受信品質に基づき、ＨＯ先基地局装置を判定する。そして、ＨＯ元基地局装置のハンドオーバ制御部３３５は、ＨＯ先基地局装置のハンドオーバ制御部３３５と通信を行い、端末４０に関する情報等を送受信し、端末４０のハンドオーバを完了させる。
【００８３】
ハンドオーバシーケンス制御の完了により、端末４０がＨＯ元基地局装置からＨＯ先基地局装置へハンドオーバを行った後、ＨＯ先基地局装置のMobilityパラメータ生成部３３２は、図５Ａに示したような、従来のMobilityパラメータを含む端末個別メッセージを生成する。そして、ＨＯ先基地局装置の設定情報送信部３３３は、端末通信ＩＦ３２を介して、Mobilityパラメータ生成部３３２が生成したMobilityパラメータを含む端末個別メッセージを端末４０へ送信する（Ｓ１０９）。
【００８４】
一方で、ハンドオーバシーケンス制御の完了により、端末４０がＨＯ元基地局装置からＨＯ先基地局装置へハンドオーバを行った後、ＨＯ元基地局装置のMobilityパラメータ生成部３３２は、図５Ａに示したような、従来のMobilityパラメータを含む端末個別メッセージを生成する（Ｓ１１０）。
【００８５】
ＨＯ元基地局装置のMobilityパラメータ生成部３３２は、セル内の位置する配下の別端末に対して、従来のMobilityパラメータを含む端末個別メッセージを送信する（Ｓ１１１）。
【００８６】
以上説明した本実施の形態によれば、基地局装置のセルのセルエッジに位置する端末が低速端末であっても、基地局装置はMobilityパラメータの各パラメータ領域に高速用パラメータを設定するため、端末は高速用パラメータを測定パラメータとして用いることができる。この構成により、端末は、Measurement Reportを即座に基地局装置に送信し、ハンドオーバを即座に行うことができるので、基地局装置の負荷分散を即座に行うことができる。
【００８７】
また、基地局装置のトラヒックオフロードのために、高トラヒック状態の基地局装置がセルカバレッジを縮小する場合に、セルエッジに位置する低速端末を即座にハンドオーバさせることによって、低速端末の接続を維持することができる。
【００８８】
なお、本実施の形態では、基地局装置がMobilityパラメータの各パラメータ領域に高速用パラメータを設定する構成について説明したが、本発明はこれに限定されない。例えば、基地局装置が高トラヒック状態である場合に、Mobilityパラメータの各パラメータ領域に高速用パラメータよりも短いパラメータを設定する構成であっても良い。この構成により、基地局装置のセルのセルエッジに位置する端末をより早くハンドオーバさせることができる。
【００８９】
（実施の形態２）
本実施の形態に係る基地局装置の構成について説明する。本実施の形態に係る基地局装置の構成は、図３に示した実施の形態１の基地局装置３０と同様である。ただし、本実施の形態に係る基地局装置は、Mobilityパラメータ生成部３３２の機能が、実施の形態１の基地局装置３０と異なる。以下、本実施の形態に係る基地局装置のMobilityパラメータ生成部３３２の機能について説明する。
【００９０】
Mobilityパラメータ生成部３３２は、トラヒック判定部３３１から受け取る判定結果に基づき、端末の移動速度に関わらず高速用パラメータを使用することを端末に指示する指示情報を生成し、生成した指示情報を含む端末個別メッセージを設定情報送信部３３３へ出力する。
【００９１】
具体的には、Mobilityパラメータ生成部３３２は、トラヒック判定部３３１からトラヒック量が所定の閾値よりも大きいことを示す判定結果を受け取った場合に、端末の移動速度に関わらず高速用パラメータを使用することを端末に指示する指示情報を生成する。Mobilityパラメータ生成部３３２は、生成した指示情報を含む端末個別メッセージを設定情報送信部３３３へ出力する。
【００９２】
また、Mobilityパラメータ生成部３３２は、ハンドオーバ制御部３３５からハンドオーバ完了の通知を受け取った場合、端末の移動速度に応じたパラメータを使用することを端末に指示する指示情報を生成する。Mobilityパラメータ生成部３３２は、生成した指示情報を含む端末個別メッセージを設定情報送信部３３３へ出力する。
【００９３】
次に、本実施の形態に係る端末の構成について説明する。本実施の形態に係る端末の構成は、図４に示した実施の形態１の端末４０と同様である。ただし、本実施の形態に係る端末は、測定パラメータ設定部４２２の機能が、実施の形態１の端末４０と異なる。以下、本実施の形態に係る端末の測定パラメータ設定部４２２の機能について説明する。
【００９４】
測定パラメータ設定部４２２は、図示しない移動速度判定部から受け取った端末の移動速度、受け取った端末個別メッセージに含まれる指示情報、およびMobilityパラメータに基づいて、測定パラメータを設定する。なお、測定パラメータ設定部４２２は、受け取った端末個別メッセージにMobilityパラメータが含まれていない場合、過去に受け取ったMobilityパラメータを用いてもよい。また、本実施の形態におけるMobilityパラメータは、図５Ａに示した従来のMobilityパラメータ５１である。
【００９５】
測定パラメータ設定部４２２は、端末の移動速度に関わらず高速用パラメータを使用することを端末に指示する指示情報を受け取った場合、図示しない移動速度判定部から受け取った移動速度に関わらず、高速用パラメータを測定パラメータとして設定する。
【００９６】
測定パラメータ設定部４２２は、端末の移動速度に応じたパラメータを使用することを端末に指示する指示情報を受け取った場合または指示情報を受け取らなかった場合、図示しない移動速度判定部から受け取った移動速度に基づいて、測定パラメータを設定する。
【００９７】
例えば、測定パラメータ設定部４２２は、端末が低速端末であると判定した場合、Mobilityパラメータの低速用パラメータ領域に設定された値を測定パラメータに設定する。測定パラメータ設定部４２２は、端末が中速端末であると判定した場合、Mobilityパラメータの中速用パラメータ領域に設定された値を測定パラメータに設定する。測定パラメータ設定部４２２は、端末が高速端末であると判定した場合、Mobilityパラメータの高速用パラメータ領域に設定された値を測定パラメータに設定する。
【００９８】
測定パラメータ設定部４２２は、設定した測定パラメータを受信品質測定およびReport条件判定部４２３へ出力する。
【００９９】
次に、本実施の形態において、高トラヒック状態である基地局装置がセルエッジに位置する端末を周辺基地局装置にハンドオーバさせる場合のハンドオーバ処理の手順について説明する。
【０１００】
図７は、本発明の実施の形態２におけるハンドオーバ処理の手順の一例を示すシーケンス図である。なお、図７には、端末と、端末が接続している基地局装置（図７では、ＨＯ（ハンドオーバ）元基地局装置）と、端末がハンドオーバにより新たに接続する基地局装置（図７では、ＨＯ（ハンドオーバ）先基地局装置）の処理手順が示されている。また、図７に示すＨＯ元基地局装置およびＨＯ先基地局装置は、それぞれ、上記で説明した本実施の形態に係る基地局装置の構成を有し、端末は、上記で説明した本実施の形態に係る端末の構成を有する。
【０１０１】
ＨＯ元基地局装置のMobilityパラメータ生成部３３２は、図５Ａに示したような、従来のMobilityパラメータを生成し、生成したMobilityパラメータを含む端末個別メッセージを端末へ送信する（Ｓ２０１）。端末の測定パラメータ設定部４２２は、受け取ったMobilityパラメータを記憶する。なお、Ｓ２０１の処理は、端末がＨＯ元基地局装置に接続された際に行われても良いし、所定間隔毎に行われても良い。端末の測定パラメータ設定部４２２は、Mobilityパラメータを受け取る度に、最新のMobilityパラメータを記憶する。
【０１０２】
図７の例では、ＨＯ元基地局装置のトラヒック判定部３３１は、高トラヒック状態であると判定する（Ｓ２０２）。トラヒック判定部３３１は、ＨＯ元基地局装置が高トラヒック状態であることを示す判定結果をMobilityパラメータ生成部３３２へ出力する。
【０１０３】
次に、Mobilityパラメータ生成部３３２は、ＨＯ元基地局装置が高トラヒック状態であることを示す判定結果を受け取るので、端末の移動速度に関わらず高速用パラメータを使用することを端末に指示する指示情報を生成する（Ｓ２０３）。Mobilityパラメータ生成部３３２は、生成した指示情報を含む端末個別メッセージを設定情報送信部３３３へ出力する。
【０１０４】
設定情報送信部３３３は、受け取った端末個別メッセージを端末通信ＩＦ３２を介して端末へ送信する（Ｓ２０４）。
【０１０５】
そして、ＨＯ元基地局装置およびＨＯ先基地局装置は、互いに情報の送受信を行い、セルカバレッジの変更を行う（Ｓ２０５）。例えば、図２に示したように、ＨＯ元基地局装置は、セルサイズを縮小し、ＨＯ先基地局装置は、セルサイズを拡大する。
【０１０６】
端末の測定パラメータ設定部４２２は、基地局通信ＩＦ４１および設定情報受信部４２１を介して受け取った指示情報に基づき、端末４０の移動速度に対応するパラメータ領域に設定されたパラメータを測定パラメータとして設定する（Ｓ２０６）。その際、図７の例では、測定パラメータ設定部４２２は、Ｓ２０３およびＳ２０４にて示したように、端末の移動速度に関わらず高速用パラメータを使用することを端末に指示する指示情報を受け取るので、判定した移動速度に関わらず、高速用パラメータを測定パラメータとして設定する。
【０１０７】
次に、図７の例では、端末の受信品質測定およびReport条件判定部４２３は、Measurement Report条件を満たすと判定する（Ｓ２０７）。
【０１０８】
Measurement Report生成部４２４は、Measurement Reportを生成する。そして、Measurement Report送信部４２５は、Measurement Report生成部４２４からMeasurement Reportを受け取り、基地局通信ＩＦ４１を介してＨＯ元基地局装置へ送信する（Ｓ２０８）。
【０１０９】
図７の例では、測定パラメータとして高速用パラメータを用いるため、受信品質測定およびReport条件判定部４２３は、判定を開始してからＨＯ元基地局装置へMeasurement Reportを送信するまでの時間は、比較的短い時間となる。
【０１１０】
ＨＯ元基地局装置のハンドオーバ制御部３３５は、端末通信ＩＦ３２およびMeasurement Report受信部３３４を介してMeasurement Reportを受け取り、ハンドオーバシーケンス制御を行う（Ｓ２０９）。その際、ハンドオーバ制御部３３５は、Measurement Reportに含まれる周辺基地局装置の受信品質に基づき、ＨＯ先基地局装置を判定する。そして、ＨＯ元基地局装置のハンドオーバ制御部３３５は、ＨＯ先基地局装置のハンドオーバ制御部３３５と通信を行い、端末に関する情報等を送受信し、端末のハンドオーバを完了させる。
【０１１１】
ハンドオーバシーケンス制御の完了により、端末がＨＯ元基地局装置からＨＯ先基地局装置へハンドオーバを行った後、ＨＯ先基地局装置のMobilityパラメータ生成部３３２は、端末の移動速度に応じたパラメータを使用することを端末に指示する指示情報を含む端末個別メッセージを生成する。そして、ＨＯ先基地局装置の設定情報送信部３３３は、端末通信ＩＦ３２を介して、Mobilityパラメータ生成部３３２が生成した端末個別メッセージを端末４０へ送信する（Ｓ２１０）。
【０１１２】
一方で、ハンドオーバシーケンス制御の完了により、端末がＨＯ元基地局装置からＨＯ先基地局装置へハンドオーバを行った後、ＨＯ元基地局装置のMobilityパラメータ生成部３３２は、端末の移動速度に応じたパラメータを使用することを端末に指示する指示情報を含む端末個別メッセージを生成する（Ｓ２１１）。
【０１１３】
ＨＯ元基地局装置のMobilityパラメータ生成部３３２は、セル内の位置する配下の別端末に対して、生成した指示情報を含む端末個別メッセージを送信する（Ｓ２１２）。
【０１１４】
以上説明した本実施の形態によれば、基地局装置のセルのセルエッジに位置する端末が低速端末であっても、基地局装置は端末の移動速度に関わらず高速用パラメータを使用することを端末に指示する指示情報を送信するため、端末は高速用パラメータを測定パラメータとして用いることができる。この構成により、端末は、Measurement Reportを即座に基地局装置に送信し、ハンドオーバを即座に行うことができるので、基地局装置の負荷分散を即座に行うことができる。
【０１１５】
また、基地局装置のトラヒックオフロードのために、高トラヒック状態の基地局装置がセルカバレッジを縮小する場合に、セルエッジに位置する低速端末を即座にハンドオーバさせることによって、低速端末の接続を維持することができる。
【０１１６】
さらに、本実施の形態では、基地局装置は、端末の移動速度に関わらず高速用パラメータを使用することを端末に指示する指示情報を含む端末個別メッセージを送信する構成により、基地局装置のトラヒック状態に応じてMobilityパラメータを設定しなくてもよい。
【０１１７】
（実施の形態３）
本実施の形態に係る基地局装置８０の構成について、図８を用いて説明する。
【０１１８】
図８は、本発明の実施の形態３に係る基地局装置８０の構成の一例を示す図である。なお、図８の構成において、図３と同様の構成には、同一の符番を付しその説明を省略する。本実施の形態に係る基地局装置８０は、制御部８３の構成が、図３に示した制御部３３と異なる。
【０１１９】
制御部８３は、トラヒック判定部８３１、Mobilityパラメータ生成部８３２、設定情報送信部８３３、Measurement Report受信部８３４、ハンドオーバ制御部８３５、および報知情報生成部８３６を有する。
【０１２０】
トラヒック判定部８３１は、基地局装置８０が高トラヒック状態であるか否かを判定する。例えば、トラヒック判定部８３１は、基地局装置８０が収容するトラヒック量と所定の閾値とを比較し、トラヒック量が所定の閾値よりも大きい場合に基地局装置８０が高トラヒック状態であると判定する。トラヒック判定部８３１は、判定結果を報知情報生成部８３６へ出力する。
【０１２１】
Mobilityパラメータ生成部８３２は、図５Ａに示したような従来のMobilityパラメータを生成する。Mobilityパラメータ生成部８３２は、生成したMobilityパラメータを含む端末個別メッセージを設定情報送信部８３３へ出力する。
【０１２２】
設定情報送信部８３３は、端末通信ＩＦ３２を介して、Mobilityパラメータ生成部８３２から受け取った端末個別メッセージを基地局装置８０のセル内の端末へ個別に送信する。また、設定情報送信部８３３は、端末通信ＩＦ３２を介して、後述する報知情報生成部８３６から受け取った報知情報を基地局装置８０のセル内の全ての端末へ送信する。
【０１２３】
Measurement Report受信部８３４は、端末通信ＩＦ３２を介して、端末からMeasurement Reportを受信し、受信したMeasurement Reportをハンドオーバ制御部８３５へ出力する。
【０１２４】
ハンドオーバ制御部８３５は、Measurement Reportに基づき、Measurement Reportを送信した端末のハンドオーバを制御する。具体的には、ハンドオーバ制御部８３５は、Measurement Reportに含まれる周辺基地局装置の受信品質に基づき、ハンドオーバ先基地局装置を判定する。そして、ハンドオーバ制御部８３５は、ハンドオーバ先基地局装置のハンドオーバ制御部８３５と通信を行い、ハンドオーバさせる端末に関する情報等を送受信し、端末のハンドオーバを完了させる。
【０１２５】
また、ハンドオーバ制御部８３５は、ハンドオーバ制御が完了した場合、完了したことを示す通知を報知情報生成部８３６へ出力する。また、ハンドオーバ制御部８３５は、基地局間通信ＩＦ３１を介して、周辺基地局装置と端末の間の受信品質の情報を受け取り、受け取った情報を設定情報送信部８３３へ出力する。
【０１２６】
報知情報生成部８３６は、トラヒック判定部８３１からトラヒック量が所定の閾値よりも大きいことを示す判定結果を受け取った場合に、端末の移動速度に関わらず高速用パラメータを使用することを端末に指示する指示情報を生成する。報知情報生成部８３６は、生成した指示情報を含む報知情報を設定情報送信部８３３へ出力する。
【０１２７】
また、報知情報生成部８３６は、ハンドオーバ制御部８３５からハンドオーバ完了の通知を受け取った場合、端末の移動速度に応じたパラメータを使用することを端末に指示する指示情報を生成する。報知情報生成部８３６は、生成した指示情報を含む報知情報を設定情報送信部８３３へ出力する。
【０１２８】
次に、本実施の形態に係る端末の構成について説明する。本実施の形態に係る端末の構成は、図４に示した実施の形態１の端末４０と同様である。ただし、本実施の形態に係る端末は、設定情報受信部４２１および測定パラメータ設定部４２２の機能が、実施の形態１の端末４０と異なる。以下、本実施の形態に係る端末の設定情報受信部４２１および測定パラメータ設定部４２２の機能について説明する。
【０１２９】
本実施の形態に係る端末の設定情報受信部４２１は、基地局装置８０から送信される設定情報を基地局通信ＩＦ４１を介して受信する。例えば、設定情報受信部４２１は、Mobilityパラメータを含む端末個別メッセージを設定情報として受信する。設定情報受信部４２１は、受信したMobilityパラメータを含む端末個別メッセージを測定パラメータ設定部４２２へ出力する。
【０１３０】
また、本実施の形態に係る端末の設定情報受信部４２１は、指示情報を含む報知情報を設定情報として受信する。設定情報受信部４２１は、受信した指示情報を含む報知情報を測定パラメータ設定部４２２へ出力する。
【０１３１】
測定パラメータ設定部４２２は、端末４０の移動速度を判定する。具体的な判定方法については、実施の形態１で説明した方法と同様であるので、説明を省略する。
【０１３２】
測定パラメータ設定部４２２は、判定した移動速度、受け取った端末個別メッセージに含まれるMobilityパラメータ、および受け取った報知情報に含まれる指示情報に基づいて、測定パラメータを設定する。なお、測定パラメータ設定部４２２は、Mobilityパラメータを含む端末個別メッセージを受け取らない場合、過去に受け取ったMobilityパラメータを用いてもよい。また、本実施の形態におけるMobilityパラメータは、図５Ａに示した従来のMobilityパラメータ５１である。
【０１３３】
測定パラメータ設定部４２２は、端末の移動速度に関わらず高速用パラメータを使用することを端末に指示する指示情報を受け取った場合、判定した移動速度に関わらず、高速用パラメータを測定パラメータとして設定する。
【０１３４】
測定パラメータ設定部４２２は、端末の移動速度に応じたパラメータを使用することを端末に指示する指示情報を受け取った場合または指示情報を受け取らなかった場合、判定した移動速度に基づいて、測定パラメータとして設定する。
【０１３５】
例えば、測定パラメータ設定部４２２は、端末が低速端末であると判定した場合、Mobilityパラメータの低速用パラメータ領域に設定された値を測定パラメータに設定する。測定パラメータ設定部４２２は、端末が中速端末であると判定した場合、Mobilityパラメータの中速用パラメータ領域に設定された値を測定パラメータに設定する。測定パラメータ設定部４２２は、端末が高速端末であると判定した場合、Mobilityパラメータの高速用パラメータ領域に設定された値を測定パラメータに設定する。
【０１３６】
測定パラメータ設定部４２２は、設定した測定パラメータを受信品質測定およびReport条件判定部４２３へ出力する。
【０１３７】
次に、本実施の形態において、高トラヒック状態である基地局装置がセルエッジに位置する端末を周辺基地局装置にハンドオーバさせる場合のハンドオーバ処理の手順について説明する。
【０１３８】
図９は、本発明の実施の形態３におけるハンドオーバ処理の手順の一例を示すシーケンス図である。なお、図９には、端末と、端末が接続している基地局装置（図９では、ＨＯ（ハンドオーバ）元基地局装置）と、端末がハンドオーバにより新たに接続する基地局装置（図９では、ＨＯ（ハンドオーバ）先基地局装置）の処理手順が示されている。また、図９に示すＨＯ元基地局装置およびＨＯ先基地局装置は、それぞれ、上記で説明した本実施の形態に係る基地局装置８０の構成を有し、端末は、上記で説明した本実施の形態に係る端末の構成を有する。
【０１３９】
ＨＯ元基地局装置のMobilityパラメータ生成部８３２は、図５Ａに示したような、従来のMobilityパラメータを生成し、生成したMobilityパラメータを含む端末個別メッセージを端末へ送信する（Ｓ３０１）。端末の測定パラメータ設定部４２２は、受け取ったMobilityパラメータを記憶する。なお、Ｓ３０１の処理は、端末がＨＯ元基地局装置に接続された際に行われても良いし、所定間隔毎に行われても良い。端末の測定パラメータ設定部４２２は、Mobilityパラメータを受け取る度に、最新のMobilityパラメータを記憶する。
【０１４０】
図９の例では、ＨＯ元基地局装置のトラヒック判定部８３１は、高トラヒック状態であると判定する（Ｓ３０２）。トラヒック判定部８３１は、ＨＯ元基地局装置が高トラヒック状態であることを示す判定結果を報知情報生成部８３６へ出力する。
【０１４１】
次に、報知情報生成部８３６は、ＨＯ元基地局装置が高トラヒック状態であることを示す判定結果を受け取るので、端末の移動速度に関わらず高速用パラメータを使用することを端末に指示する指示情報を生成し、生成した指示情報を含むように報知情報を更新する（Ｓ３０３）。報知情報生成部８３６は、生成した指示情報を含む報知情報を設定情報送信部８３３へ出力する。
【０１４２】
設定情報送信部８３３は、受け取った報知情報を端末通信ＩＦ３２を介してセル内の全ての端末へ送信する（Ｓ３０４）。
【０１４３】
そして、ＨＯ元基地局装置およびＨＯ先基地局装置は、互いに情報の送受信を行い、セルカバレッジの変更を行う（Ｓ３０５）。例えば、図２に示したように、ＨＯ元基地局装置は、セルサイズを縮小し、ＨＯ先基地局装置は、セルサイズを拡大する。
【０１４４】
端末の測定パラメータ設定部４２２は、基地局通信ＩＦ４１および設定情報受信部４２１を介して受け取った指示情報に基づき、端末４０の移動速度に対応するパラメータ領域に設定されたパラメータを測定パラメータとして設定する（Ｓ３０６）。その際、図９の例では、測定パラメータ設定部４２２は、Ｓ３０３およびＳ３０４にて示したように、端末の移動速度に関わらず高速用パラメータを使用することを端末に指示する指示情報を受け取るので、判定した移動速度に関わらず、高速用パラメータを測定パラメータとして設定する。
【０１４５】
次に、図９の例では、端末の受信品質測定およびReport条件判定部４２３は、Measurement Report条件を満たすと判定する（Ｓ３０７）。
【０１４６】
Measurement Report生成部４２４は、Measurement Reportを生成する。そして、Measurement Report送信部４２５は、Measurement Report生成部４２４からMeasurement Reportを受け取り、基地局通信ＩＦ４１を介してＨＯ元基地局装置へ送信する（Ｓ３０８）。
【０１４７】
図９の例では、測定パラメータとして高速用パラメータを用いるため、受信品質測定およびReport条件判定部４２３は、判定を開始してからＨＯ元基地局装置へMeasurement Reportを送信するまでの時間は、比較的短い時間となる。
【０１４８】
ＨＯ元基地局装置のハンドオーバ制御部８３５は、端末通信ＩＦ３２およびMeasurement Report受信部８３４を介してMeasurement Reportを受け取り、ハンドオーバシーケンス制御を行う（Ｓ３０９）。その際、ハンドオーバ制御部８３５は、Measurement Reportに含まれる周辺基地局装置の受信品質に基づき、ＨＯ先基地局装置を判定する。そして、ＨＯ元基地局装置のハンドオーバ制御部８３５は、ＨＯ先基地局装置のハンドオーバ制御部８３５と通信を行い、端末に関する情報等を送受信し、端末のハンドオーバを完了させる。
【０１４９】
ハンドオーバシーケンス制御の完了により、端末がＨＯ元基地局装置からＨＯ先基地局装置へハンドオーバを行った後、報知情報生成部８３６は、端末の移動速度に応じたパラメータを使用することを端末に指示する指示情報を含む報知情報を生成する。そして、ＨＯ先基地局装置の設定情報送信部８３３は、端末通信ＩＦ３２を介して、報知情報生成部８３６が生成した報知情報をＨＯ先基地局装置のセル内の全ての端末へ送信する（Ｓ３１０）。
【０１５０】
一方で、ハンドオーバシーケンス制御の完了により、端末がＨＯ元基地局装置からＨＯ先基地局装置へハンドオーバを行った後、ＨＯ元基地局装置の報知情報生成部８３６は、端末の移動速度に応じたパラメータを使用することを端末に指示する指示情報を含む報知情報を生成する（Ｓ３１１）。
【０１５１】
ＨＯ元基地局装置の設定情報送信部８３３は、端末通信ＩＦ３２を介して、報知情報生成部８３６が生成した報知情報をＨＯ先基地局装置のセル内の全ての端末へ送信する（Ｓ３１２）。
【０１５２】
以上説明した本実施の形態によれば、基地局装置のセルのセルエッジに位置する端末が低速端末であっても、基地局装置は端末の移動速度に関わらず高速用パラメータを使用することを端末に指示する指示情報を送信するため、端末は高速用パラメータを測定パラメータとして用いることができる。この構成により、端末は、Measurement Reportを即座に基地局装置に送信し、ハンドオーバを即座に行うことができるので、基地局装置の負荷分散を即座に行うことができる。
【０１５３】
また、基地局装置のトラヒックオフロードのために、高トラヒック状態の基地局装置がセルカバレッジを縮小する場合に、セルエッジに位置する低速端末を即座にハンドオーバさせることによって、低速端末の接続を維持することができる。
【０１５４】
さらに、本実施の形態では、基地局装置は、端末の移動速度に関わらず高速用パラメータを使用することを端末に指示する指示情報を含む報知情報を送信する構成を採る。この構成により、周期的に送信する既存の報知情報を使用することができるため、無線リソースを削減できる。
【０１５５】
なお、上記各実施の形態では、基地局装置のトラヒックオフロードのためにセルカバレッジを縮小する場合について説明しているが、本発明はこれに限定されない。セルカバレッジの縮小を行わない場合においても、セルエッジに位置する低速端末を即座にハンドオーバさせることによって、負荷分散を行うことができる。
【０１５６】
また、上記各実施の形態では、３通りのパラメータが端末の移動速度に応じてMobilityパラメータに設定される場合について説明したが、本発明はこれに限定されない。２通りのパラメータが端末の移動速度に応じてMobilityパラメータに設定される場合でも、あるいは、４通り以上のパラメータが端末の移動速度に応じてMobilityパラメータに設定される場合でも良い。これらの場合においても、基地局装置は、高トラヒック状態である場合に、端末に高速用パラメータを測定パラメータとして使用させることができる。これにより、端末は、Measurement Reportを即座に基地局装置に送信し、ハンドオーバを即座に行うことができるので、基地局装置の負荷分散を即座に行うことができる。
【０１５７】
また、上記各実施の形態では、本発明をハードウェアで構成する場合を例にとって説明したが、本発明はハードウェアとの連携においてソフトウェアでも実現することも可能である。
【０１５８】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１５９】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）又は、ＬＳＩ内部の回路セルの接続若しくは設定を再構成可能なリコンフィギュラブル・プロセッサーを利用してもよい。
【０１６０】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【産業上の利用可能性】
【０１６１】
本発明は、移動体通信システムに有用である。
【符号の説明】
【０１６２】
１０、１１、３０、８０  基地局装置
１０ａ、１０ｂ、１１ａ、１１ｂ  セル
２０、４０  端末
３１  基地局間通信ＩＦ
３２  端末通信ＩＦ
３３、４２、８３  制御部
４１  基地局通信ＩＦ
５１、５５  Mobilityパラメータ
５２、５６  高速用パラメータ領域
５３、５７  中速用パラメータ領域
５４、５８  低速用パラメータ領域
３３１、８３１  トラヒック判定部
３３２、８３２  Mobilityパラメータ生成部
３３３、８３３  設定情報送信部
３３４、８３４  Measurement Report受信部
３３５、８３５  ハンドオーバ制御部
４２１  設定情報受信部
４２２  測定パラメータ設定部
４２３  受信品質およびReport条件判定部
４２４  Measurement Report生成部
４２５  Measurement Report送信部
８３６  報知情報生成部
【図１】
0006561376.tif 000002
【図２】
0006561376.tif 000003
【図３】
0006561376.tif 000004
【図４】
0006561376.tif 000005
【図５Ａ】
0006561376.tif 000006
【図５Ｂ】
0006561376.tif 000007
【図６】
0006561376.tif 000008
【図７】
0006561376.tif 000009
【図８】
0006561376.tif 000010
【図９】
0006561376.tif 000011